(57)【要約】【課題】光学系の改変によらずに色ずれを補正する。【解決手段】表示装置は、複数の波長帯の光を変調する光変調部と、第１状態および第２状態を含む複数の状態のうちいずれかの状態をとり、前記第１状態であるときと前記第２状態であるときとで、光変調部から出力された光を異なる光路で透過する光路変更部と、映像データに応じて前記光路変更部の状態を切り替える光路制御部と、前記複数の波長帯のうち少なくとも１の波長帯について、前記光路変更部が前記第１状態にある場合は現単位期間の映像データを用いて当該現単位期間の映像データの補正をし、前記光路変更部が前記第２状態にある場合は当該現単位期間および前単位期間の映像データを用いて当該現単位期間の映像データの補正をする補正部と、前記補正部により補正された映像データを用いて前記光変調部を制御する表示制御部とを有する。【選択図】図３
2015158556.tif 000002
【特許請求の範囲】
【請求項１】
複数の波長帯の光を変調する光変調部と、
第１状態および第２状態を含む複数の状態のうちいずれかの状態をとり、前記第１状態であるときと前記第２状態であるときとで、光変調部から出力された光を異なる光路で透過する光路変更部と、
映像データに応じて前記光路変更部の状態を切り替える光路制御部と、
前記複数の波長帯のうち少なくとも１の波長帯について、前記光路変更部が前記第１状態にある場合は少なくとも現単位期間の映像データを用いて当該現単位期間の映像データの補正をし、前記光路変更部が前記第２状態にある場合は当該現単位期間および前単位期間の映像データを用いて当該現単位期間の映像データの補正をする補正部と、
前記補正部により補正された映像データを用いて前記光変調部を制御する表示制御部と
を有する表示装置。
【請求項２】
前記補正部は、
前記第１状態に対応して、入力された映像データを補正された映像データに変換する第１変換部と、
前記第２状態に対応して、入力された映像データを補正された映像データに変換する第２変換部と、
前記光路変更部の状態に応じて、前記第１変換部と前記第２変換部とを切り替える切替部と
を有する請求項１に記載の表示装置。
【請求項３】
前記複数の波長帯は、赤色に相当する第１波長帯および青色に相当する第２波長帯を含み、
前記補正部は、前記第１波長帯に対応する前記第１変換部、前記第２変換部、および前記切替部の組と、前記第２波長帯に対応する前記第１変換部、前記第２変換部、および前記切替部の組とを有する
ことを特徴とする請求項２に記載の表示装置。
【請求項４】
前記光変調部は、
第１波長帯に対応する第１光変調器と、
第２波長帯に対応する第２光変調器と、
第３波長帯に対応する第３光変調器と
を有し、
前記光路変更部は、
前記第１波長帯に対応する第１光路変更素子と、
前記第２波長帯に対応する第２光路変更素子と、
前記第３波長帯に対応する第３光路変更素子と
を有し、
前記補正部は、前記第１波長帯、前記第２波長帯、および前記第３波長帯のうち少なくとも１の波長帯について、前記第１変換部、前記第２変換部、および前記切替部の組を有し、
前記切替部は、前記光路制御部による前記光路変更部の状態の切り替えに応じて前記第１変換部と前記第２変換部とを切り替える
ことを特徴とする請求項２に記載の表示装置。
【請求項５】
前記光変調部は、第１波長帯、第２波長帯、および第３波長帯のそれぞれに対応する画素を含む単一の光変調器を有し、
前記表示制御部は、前記第１波長帯、前記第２波長帯、および前記第３波長帯のそれぞ
れに対応する映像データに応じて時分割で前記光変調部を制御し、
前記切替部は、前記第１波長帯、前記第２波長帯、および前記第３波長帯のそれぞれに対応する映像データの切り替え、および前記光路制御部による前記光路変更部の状態の切り替えに応じて前記第１変換部と前記第２変換部とを切り替える
ことを特徴とする請求項２に記載の表示装置。
【請求項６】
前記光路制御部は、前記光変調部から出力された光を、前記第１状態において第１光路および第２光路で透過し、前記第２状態において前記第１光路で透過し、
前記補正部における前記補正は、前記光路変更部が前記第２状態にある場合に、前記第１状態における前記第１光路に対応する光量の補償をするものであり、
前記補償に用いられる光量が負になる場合、前記補正部は、前記補正をしない
ことを特徴とする請求項１ないし５のいずれか一項に記載の表示装置。
【請求項７】
前記補償に用いられる光量が負になる場合、前記補正部は、前記第２状態における前記第１光路に対応する光量をゼロに補正する
ことを特徴とする請求項６に記載の表示装置。
【請求項８】
複数の波長帯の光を変調する光変調部と、第１状態および第２状態を含む複数の状態のうちいずれかの状態をとり、前記第１状態であるときと前記第２状態であるときとで、光変調部から出力された光を異なる光路で透過する光路変更部とを有する表示装置において、
前記複数の波長帯のうち少なくとも１の波長帯について、前記光路変更部が前記第１状態にある場合は少なくとも現単位期間の映像データを用いて当該現単位期間の映像データの補正をし、前記光路変更部が前記第２状態にある場合は当該現単位期間および前単位期間の映像データを用いて当該現単位期間の映像データの補正をするステップと、
前記補正された映像データを用いて前記光変調部を制御するステップと
を有する表示制御方法。
【発明の詳細な説明】
【技術分野】
【０００１】
本発明は、シフトデバイス（光路変更素子）を用いて解像度を高める方式の表示装置における色ずれを補正する技術に関する。
【背景技術】
【０００２】
シフトデバイスと時分割駆動を組み合わせ、擬似的に解像度を高めるプロジェクターが知られている。シフトデバイスは、光をまっすぐ透過させる状態、および光路をシフトさせて透過させる状態のいずれかをとる素子である。光路をシフトさせる状態において、理想的には、シフトデバイスは入射光の光量のすべてをシフトすることが望ましい。しかし、シフトデバイスは、この状態でも必ずしも入射光をすべてシフトすることができず、一部はシフトせずにそのまま透過してしまう。一般に、シフトデバイスの波長分散特性により、光路をシフトさせて透過させる状態においてシフトデバイスを透過する光量は、入射光の波長によって異なる。その結果、各画素の色が本来あるべき色からずれてしまうという問題がある。
【０００３】
この問題の対策として、特許文献１は、２つのシフトデバイス、具体的には配向方向が異なる２つの液晶層を用いて、色ずれを光学的に補正する技術を開示している。
【先行技術文献】
【特許文献】
【０００４】
【特許文献１】特開２００３−３４４８７１号公報
【発明の概要】
【発明が解決しようとする課題】
【０００５】
特許文献１に記載の技術においては、液晶層を２層設ける必要があり、コストがかかるという問題があった。
これに対し本発明は、光学系の改変によらずに色ずれを補正する技術を提供する。
【課題を解決するための手段】
【０００６】
本発明は、複数の波長帯の光を変調する光変調部と、第１状態および第２状態を含む複数の状態のうちいずれかの状態をとり、前記第１状態であるときと前記第２状態であるときとで、光変調部から出力された光を異なる光路で透過する光路変更部と、映像データに応じて前記光路変更部の状態を切り替える光路制御部と、前記複数の波長帯のうち少なくとも１の波長帯について、前記光路変更部が前記第１状態にある場合は少なくとも現単位期間の映像データを用いて当該現単位期間の映像データの補正をし、前記光路変更部が前記第２状態にある場合は当該現単位期間および前単位期間の映像データを用いて当該現単位期間の映像データの補正をする補正部と、前記補正部により補正された映像データを用いて前記光変調部を制御する表示制御部とを有する表示装置を提供する。
この表示装置によれば、光学系の改変によらずに色ずれを補正することができる。
【０００７】
前記補正部は、前記第１状態に対応して、入力された映像データを補正された映像データに変換する第１変換部と、前記第２状態に対応して、入力された映像データを補正された映像データに変換する第２変換部と、前記光路変更部の状態に応じて、前記第１変換部と前記第２変換部とを切り替える切替部とを有してもよい。
この表示装置によれば、第１変換部と第２変換部の切り替えにより色ずれを補正することができる。
【０００８】
前記複数の波長帯は、赤色に相当する第１波長帯および青色に相当する第２波長帯を含み、前記補正部は、前記第１波長帯に対応する前記第１変換部、前記第２変換部、および前記切替部の組と、前記第２波長帯に対応する前記第１変換部、前記第２変換部、および前記切替部の組とを有してもよい。
この表示装置によれば、赤色および青色の成分に起因する色ずれを補正することができる。
【０００９】
前記光変調部は、第１波長帯に対応する第１光変調器と、第２波長帯に対応する第２光変調器と、第３波長帯に対応する第３光変調器とを有し、前記光路変更部は、前記第１波長帯に対応する第１光路変更素子と、前記第２波長帯に対応する第２光路変更素子と、前記第３波長帯に対応する第３光路変更素子とを有し、前記補正部は、前記第１波長帯、前記第２波長帯、および前記第３波長帯のうち少なくとも１の波長帯について、前記第１変換部、前記第２変換部、および前記切替部の組を有し、前記切替部は、前記光路制御部による前記光路変更部の状態の切り替えに応じて前記第１変換部と前記第２変換部とを切り替えてもよい。
この表示装置によれば、３つの波長帯に対応する３つの光変調器を有する表示装置において色ずれを補正することができる。
【００１０】
前記光変調部は、第１波長帯、第２波長帯、および第３波長帯のそれぞれに対応する画素を含む単一の光変調器を有し、前記表示制御部は、前記第１波長帯、前記第２波長帯、および前記第３波長帯のそれぞれに対応する映像データに応じて時分割で前記光変調部を制御し、前記切替部は、前記第１波長帯、前記第２波長帯、および前記第３波長帯のそれぞれに対応する映像データの切り替え、および前記光路制御部による前記光路変更部の状態の切り替えに応じて前記第１変換部と前記第２変換部とを切り替えてもよい。
この表示装置によれば、単一の光変調器を有する表示装置において色ずれを補正することができる。
【００１１】
前記光路制御部は、前記光変調部から出力された光を、前記第１状態において第１光路および第２光路で透過し、前記第２状態において前記第１光路で透過し、前記補正部における前記補正は、前記光路変更部が前記第２状態にある場合に、前記第１状態における前記第１光路に対応する光量の補償をするものであり、前記補償に用いられる光量が負になる場合、前記補正部は、前記補正をしなくてもよい。
この表示装置によれば、光量が負になるよう制御する不具合を解消することができる。
【００１２】
前記補償に用いられる光量が負になる場合、前記補正部は、前記第２状態における前記第１光路に対応する光量をゼロに補正してもよい。
この表示装置によれば、実際に表示される階調を入力映像データにより示される階調により近づけることができる。
【００１３】
また、本発明は、複数の波長帯の光を変調する光変調部と、第１状態および第２状態を含む複数の状態のうちいずれかの状態をとり、前記第１状態であるときと前記第２状態であるときとで、光変調部から出力された光を異なる光路で透過する光路変更部とを有する表示装置において、前記複数の波長帯のうち少なくとも１の波長帯について、前記光路変更部が前記第１状態にある場合は少なくとも現単位期間の映像データを用いて当該現単位期間の映像データの補正をし、前記光路変更部が前記第２状態にある場合は当該現単位期間および前単位期間の映像データを用いて当該現単位期間の映像データの補正をするステップと、前記補正された映像データを用いて前記光変調部を制御するステップとを有する表示制御方法を提供する。
この表示制御方法によれば、光学系の改変によらずに色ずれを補正することができる。
【図面の簡単な説明】
【００１４】
【図１】関連技術に係るプロジェクター９の構成を示す図。
【図２】シフトデバイス１６２の動作を説明する図。
【図３】本発明の一実施形態に係るプロジェクター１の構成を示す図。
【図４】補正部１３の構成を例示する図。
【図５】プロジェクター１の動作を示すフローチャート。
【図６】補正部１３の動作に係るタイミングチャート。
【図７】変形例２に係るタイミングチャート。
【発明を実施するための形態】
【００１５】
１．概要
図１は、関連技術に係るプロジェクター９の構成を示す図である。プロジェクター９は、映像処理部１１と、記憶部１２と、補正部９３と、ＬＶ駆動部１４と、シフト制御部１５と、投射光学系１６とを有する。投射光学系１６は、ライトバルブ（ＬＶ）１６１と、シフトデバイス１６２と、投射レンズ（図示略）とを有する。ライトバルブ１６１は、光源（図示略）からの光を変調する光変調器（光変調部）であり、この例では透過型の液晶パネルを含む。この例で、ライトバルブ１６１は、３原色（赤（Ｒ）、緑（Ｇ）、および青（Ｂ））のそれぞれについて合計３つ設けられている。図では各色のライトバルブを区別してＬＶ（Ｒ）のように表記している。シフトデバイス１６２は、入射光の光路をシフト（平行移動）させる素子（または装置）である。シフトデバイス１６２は、第１状態のときの屈折率と第２状態のときの屈折率が異なる素子である。具体的には、シフトデバイス１６２は例えば液晶層であり、第１状態は電圧が印加されていない状態、第２状態は電圧が印加された状態である。シフトデバイス１６２は、ライトバルブ１６１毎に設けられている（図では単一のシフトデバイスのみ図示している）。すなわち、シフトデバイス１６２は、合計３つ設けられている。投射レンズは、シフトデバイス１６２を透過した光をスクリーン（図示略）に投射する。
【００１６】
映像処理部１１は、入力された映像信号により示される映像データに対し所定の映像処理を施す。映像信号は所定の単位期間（例えば６０Ｈｚに相当する１６．６７ミリ秒）を単位として映像を示す信号である。すなわち、この映像信号により示される映像データは、単位期間毎の映像（画像）に区分されている。この単位期間をフレームという。記憶部１２は映像データを記憶する。映像処理部１１は、映像処理の際、映像データを記憶部１２を用いる。映像処理部１１は、映像処理を施した映像データを補正部９３に出力する。
【００１７】
補正部９３は、映像データを補正する。この補正は、ライトバルブ１６１の液晶パネルに固有の非線形な電圧−透過率特性（Ｖ−Ｔ特性）に応じて階調値を補正する処理である。この補正において入力および出力はいずれも階調値であるが、液晶のＶ−Ｔ特性に応じた補正であることから、以下この補正を便宜上ＶＴ補正という。ＶＴ補正は、ＬＵＴ（Look Up Table）を用いて行われる。補正部９３は、色成分毎にＬＵＴ（ＬＵＴ９３１〜９３３）を有している。ＬＵＴ９３１〜９３３は１次元のＬＵＴ（１ＤＬＵＴ）であり、入力階調値を出力階調値に補正（変換）する。ＬＵＴはハードウェアＬＵＴとして実装してもよいし、メモリーにデータとして記憶されていてもよい。補正部９３は、補正した映像データをＬＶ駆動部１４に出力する。
【００１８】
ＬＶ駆動部１４は、入力された映像データに応じてライトバルブ１６１を駆動（制御）する。シフト制御部１５は、ライトバルブ１６１の駆動と同期して、シフトデバイス１６２を駆動（制御）する。すなわち、シフト制御部１５は、映像データに応じてシフトデバイス１６２の状態を切り替える光路制御部の一例である。
【００１９】
図２は、シフトデバイス１６２の動作を説明する図である。図２（ａ）は電圧が印加さ
れていない状態（以下「オフ状態」という）を、図２（ｂ）は電圧が印加されている状態（以下「オン状態」という）を、それぞれ示している。また、ここでは説明のため、ライトバルブ１６１が有する複数の画素のうち単一の画素だけを考える。シフトデバイス１６２は、液晶層と、複屈折素子とを有する。ライトバルブ１６１からの出射光は液晶層に入射する。この入射光は、図２（ａ）および（図２（ｂ）において紙面に垂直な方向に偏光している直線偏光である。液晶層は、例えば、ＴＮ（Twisted Nematic）モード液晶であり、オフ状態とオン状態とで、入射光の偏光状態を、９０°回転した状態と回転しない状態とで切り替える。複屈折素子は、例えば、水晶、ニオブ酸リチウム、方解石、雲母、ルチル（ＴｉＯ2）、チリ硝石（ＮａＮＯ3）などの一軸性結晶であり、入射光は、偏光方向が結晶の光学軸に対して垂直な光（常光）と、その常光と偏光方向が直交する光（異常光）とで、光路が分離される。すなわち、シフトデバイス１６２は、液晶層に印加される電圧をオン・オフ制御することによって、入射光の光路を変更する光路変更部の一例である。
【００２０】
図２では、オフ状態のときの理想的な画素の位置をＰ、オン状態のときの理想的な画素の位置をＱで表している。プロジェクター９は、シフトデバイス１６２の状態を時分割で切り替えることにより、ライトバルブ１６１における１つの画素を、スクリーン上では時分割で２つの画素（画素Ｐおよび画素Ｑ）として表示することができる。例えば、１フレームを２つのサブフィールドに分割し、前半をオフ状態（画素Ｐ）、後半をオン状態（画素Ｑ）とすれば、１フレームで２つの画素を表示することができる。
【００２１】
ここで、シフトデバイス１６２には次の問題がある。一般に、シフトデバイス１６２は、Ｇ光（例えば波長５５０nm）の光路が完全にシフトするように設計されている。しかし、液晶層の有する波長分散特性の影響により、Ｇ光から離れた波長の光は、オフ状態のとき、入射光の一部が画素Ｐにシフトされず画素Ｑに光が漏れてしまう。そのため、Ｇ光ではほぼこの漏れはないが、Ｒ光およびＢ光ではそれぞれ異なる割合でこの漏れが生じる。一方、オン状態のときは、液晶層の配向軸が光の進行方向と平行となるために光学異方性を示さなくなり、全ての波長で、入射光と同様の偏光状態を保ったまま液晶層を透過する。そのため、Ｒ光、Ｇ光およびＢ光に対して、オフ状態のときのような光の漏れは生じない。
【００２２】
図２の例では、オフ状態時に一部の光が画素Ｑに到達する。このときの画素Ｐおよび画素Ｑの光量をそれぞれＰoffおよびＱoffと表す。また、オン状態時の画素Ｑの光量をＱonと表す。スクリーンに投射される画素Ｐの光量はＰoffである。しかし、本来画素Ｐとしてスクリーンに投射したい光量（映像データにより示される階調）は、Ｐoff+Ｑoffである。同様に、スクリーンに投射される画素Ｑの光量は、Ｑon＋Ｑoffであるが、本来画素Ｑとしてスクリーンに投射したい光量（映像データにより示される階調）は、Ｑonである。したがって、何ら対処をしなければ、色ずれが起こる。すなわち、画素ＰおよびＱの色が、映像データで示されるものと異なってしまう。
【００２３】
そこで、本実施形態では、オン状態時のシフトデバイスにおける光の漏れを考慮して、映像データの補正を行う。具体的には、画素Ｐおよび画素Ｑに投射したい光量（映像データにより示される階調）がそれぞれＰdおよびＱdであった場合、
Ｐd＝Ｐoff    …（１）
Ｑd＝Ｑon＋Ｑoff    …（２）
となるように補正を行う。すなわち、オフ状態時の画素Ｑへの光の漏れ（Ｑoff）を考慮して、その分の光量を補償するように、オン状態時の画素Ｑへの光量（Ｑon）を補正する。
【００２４】
２．構成
図３は、本発明の一実施形態に係るプロジェクター１の構成を示す図である。プロジェ
クター１は、映像処理部１１と、記憶部１２と、補正部１３と、ＬＶ駆動部１４と、シフト制御部１５と、投射光学系１６とを有する表示装置である。図１で説明したプロジェクター９と共通する要素のうち既に説明済みの事項については説明を省略する。
【００２５】
この例で、外部装置（映像ソース、例えばＰＣやＤＶＤプレーヤー）からプロジェクター１に入力される映像信号により示される映像（以下「入力映像」という）は、解像度がｍin×ｎinである。これに対しライトバルブ１６１の解像度はｍLV×ｎLVであり、入力映像の解像度よりも低い（ｍLV＜ｍinかつｎLV＜ｎin）。プロジェクター１は、１フレームを２つのサブフィールド（以下、第１ＳＦおよび第２ＳＦという）に分割し、入力映像から、第１ＳＦで表示する映像（図２の画素Ｐに相当）と第２ＳＦで表示する映像（画素Ｑに相当）を生成する。プロジェクター１は、時分割でこれらの表示を投射することにより、１フレームで（ｍLV×ｎLV）×２の解像度の映像を表示する。
【００２６】
映像処理部１１は、入力映像から、第１ＳＦに表示する映像（以下「映像Ａ」という。画素Ｐに相当する映像）と、第２ＳＦに表示する映像（以下「映像Ｂ」という。画素Ｑに相当する映像）を生成する。映像処理部１１は、これらの映像をそれぞれ、記憶部１２に書き込む。映像処理部１１は、これらの映像を示すデータを順に、補正部１３に出力する。例えば、映像処理部１１は、第１フレームの映像Ａ、映像Ｂ、第２フレームの映像Ａ、映像Ｂという順に映像データを出力する。
【００２７】
補正部１３は、映像データを補正する。補正部１３は、複数の波長帯のうち少なくとも１の波長帯について、シフトデバイス１６２がオフ状態（第１状態）にある場合は少なくとも第１ＳＦ（現単位期間）の映像データを用いて映像データの補正をする。さらに、補正部１３は、シフトデバイス１６２がオン状態（第２状態）にある場合は第２ＳＦ（現単位期間）および第１ＳＦ（前単位期間）の映像データを用いて映像データの補正をする。
【００２８】
補正部１３における補正は、ＬＵＴを用いて行われる。補正部１３は、色成分毎にＬＵＴ群（ＬＵＴ群１３１〜１３３）を有している。ＬＵＴ群１３１、ＬＵＴ群１３２、およびＬＵＴ群１３３は、それぞれ、Ｒ成分、Ｇ成分，およびＢ成分に対応するＬＵＴ群である。各ＬＵＴ群は、少なくともＶＴＬＵＴを含む。ＶＴＬＵＴは、ライトバルブ１６１の液晶パネルに固有の非線形な電圧−透過率に応じて階調値を補正するためのＬＵＴであり、図１のＬＵＴ９３１〜９３３と同様である。この例で、ＬＵＴ群１３１、ＬＵＴ群１３２、およびＬＵＴ群１３３は、それぞれ、ＶＴＬＵＴ１３１３、ＶＴＬＵＴ１３２３、およびＶＴＬＵＴ１３３３を含んでいる。また、ＬＵＴ群のうち、オフ状態時の光の漏れがある色成分に対応するＬＵＴ群（この例では、ＬＵＴ群１３１およびＬＵＴ群１３３）は、色ずれを補正するための複数のＬＵＴを含んでいる。具体的には、ＬＵＴ群１３１はＬＵＴ１３１１およびＬＵＴ１３１２を、ＬＵＴ群１３３はＬＵＴ１３３１およびＬＵＴ１３３２を、それぞれ含んでいる。
【００２９】
補正部１３は、シフトデバイス１６２の状態に応じて、色ずれを補正するための複数のＬＵＴの中から選択された一のＬＵＴを用いる。ＬＵＴ１３１１およびＬＵＴ１３３１はオフ状態において用いられるＬＵＴであり、ＬＵＴ１３１２およびＬＵＴ１３３２はオン状態において用いられるＬＵＴである。補正部１３は、入力された映像データに対して色ずれ補正を行い、さらに色ずれ補正した映像データに対してＶＴ補正を行う。
【００３０】
図４は、補正部１３の構成を例示する図である。補正部１３は、映像データ（Ｒin，Ｇin，Ｂin）が入力されると、補正した映像データ（Ｒout，Ｇout，Ｂout）を出力する。補正部１３には、映像データの他に、垂直同期信号ＶＳが入力される。さらに、補正部１３は、１サブフィールド前の映像データを用いて色ずれ補正を行う。そのため、補正部１３は、記憶部１２から１サブフィールド前の映像データを読み出す。この例では、Ｒ成分
およびＢ成分について、１サブフィールド前の映像データＲpreおよびＢpreを読み出す。
【００３１】
補正部１３は、ＬＵＴ１３１１、ＬＵＴ１３１２、ＬＵＴ１３３１、ＬＵＴ１３３２、ＭＵＸ（multiplexer）１３１４、ＭＵＸ１３３４、ＶＴＬＵＴ１３１３、ＶＴＬＵＴ１３２３、ＶＴＬＵＴ１３３３、および切替信号生成部１３４を有する。
【００３２】
まずＲ成分に関し、ＬＵＴ１３１２は、映像データＲinを補正する。理想的には映像Ｂ（画素Ｑに相当）を投射するのは第２ＳＦだけであるが、図２で説明したように第１ＳＦ（映像Ａ）を投射するときにも、一部の光が画素Ｑに相当する位置に漏れる。そこで、映像Ｂを投射する際には、映像Ａを投射する際に画素Ｑに漏れた光量を考慮して補正を行う。ＬＵＴ１３１２はそのためのＬＵＴである。ＬＵＴ１３１２には、映像データＲinおよび映像データＲpreが入力される。映像データＲpreからは、前サブフィールドにおいて画素Ｑに漏れた光量を算出することができる。映像データＲinからは、現サブフィールドにおいて画素Ｑに投射される光量を算出することができる。そこで、映像データＲpreから算出される、前サブフィールドにおける画素Ｑの光量の分を差し引くように、現サブフィールドにおける映像データＲinを補正する。ＬＵＴ１３１２から出力される映像データＲqは、概念的には次式（３）で表される。
Ｒq＝ａＲin−ｂＲpre  …（３）
ここで、ａはオフ状態における画素ＱへのＲ光の透過率（理想的には１００％）に相当する係数であり、ｂはオン状態において画素ＱへＲ光が漏れる割合（シフトデバイスの材料に依存しているが例えば数％程度）に相当する係数である。
【００３３】
ＬＵＴ１３１１は、映像データＲinを補正する。既に説明したように第１ＳＦにおいて一部の光が画素Ｑに漏れるので、画素Ｐに投射される光量は理想的な状態から減少している。そこで、この減少分をあらかじめ上乗せするように映像データＲinを補正する。ＬＵＴ１３１１から出力される映像データＲpは、概念的には次式（４）で表される。
Ｒp＝ｃＲin  …（４）
ここで、ｃはオン状態において画素ＰにＲ光が到達する割合の逆数に相当する係数（１より大）である。
【００３４】
切替信号生成部１３４は、垂直同期信号ＶＳに応じて切替信号Ｓｗを生成する。切替信号Ｓｗは、サブフィールドを示す信号である。この例で、切替信号Ｓｗは、第１ＳＦにおいてハイレベルとなり、第２ＳＦにおいてローレベルとなる信号である。
【００３５】
ＭＵＸ１３１４は、制御入力である切替信号Ｓｗの値に応じて映像データＲqおよびＲpのいずれか一方を選択し、選択した映像データを出力する。具体的には、切替信号Ｓｗがハイレベルのときすなわち第１ＳＦにおいてＭＵＸ１３１４は映像データＲpを選択し、切替信号Ｓｗがローレベルのときすなわち第２ＳＦにおいてＭＵＸ１３１４は映像データＲqを選択する。
【００３６】
ＶＴＬＵＴ１３１３は、ＭＵＸ１３１４から出力された映像データに対しＶＴ補正を行う。ＶＴＬＵＴ１３１３は、ＶＴ補正された映像データＲoutを出力する。
【００３７】
Ｇ成分に関しては、色ずれの補正は行われない。ＶＴＬＵＴ１３２３は、映像データＧinに対しＶＴ補正を行う。ＶＴＬＵＴ１３２３は、ＶＴ補正された映像データＧoutを出力する。
【００３８】
Ｂ成分に関し、ＬＵＴ１３３１およびＬＵＴ１３３２は、映像データＢinを補正する。ＬＵＴ１３３１はＬＵＴ１３１１と同様に、ＬＵＴ１３３２はＬＵＴ１３１２と同様に、それぞれ補正を行う。ＬＵＴ１３３２から出力される映像データＢqは概念的には次式（
５）で表され、ＬＵＴ１３３１から出力される映像データＢpは概念的には次式（６）で表される。
Ｂq＝ｄＢin−ｅＢpre  …（５）
Ｂp＝ｆＢin  …（６）
ここで、ｄはオフ状態における画素ＱへのＢ光の透過率に相当する係数であり、ｅはオン状態において画素ＱへＢ光が漏れる割合に相当する係数である。また、ｆはオン状態において画素ＰにＢ光が到達する割合の逆数に相当する係数（１より大）である。
【００３９】
ＭＵＸ１３３４は、制御入力である切替信号Ｓｗの値に応じて映像データＢqおよびＢpのいずれか一方を選択し、選択した映像データを出力する。具体的には、切替信号Ｓｗがハイレベルのときすなわち第１ＳＦにおいてＭＵＸ１３３４は映像データＢpを選択し、切替信号Ｓｗがローレベルのときすなわち第２ＳＦにおいてＭＵＸ１３３４は映像データＢqを選択する。
【００４０】
ＶＴＬＵＴ１３３３は、ＭＵＸ１３３４から出力された映像データに対しＶＴ補正を行う。ＶＴＬＵＴ１３３３は、ＶＴ補正された映像データＢoutを出力する。
【００４１】
３．動作
図５は、プロジェクター１の動作を示すフローチャートである。外部装置からの入力映像信号Ｖｉｎに対し、映像処理部１１は所定の映像処理を行う。この映像処理には、入力映像から第１ＳＦに表示する映像（映像Ａ）と、第２ＳＦに表示する映像（映像Ｂ）を生成する処理が含まれる。映像処理部１１は、生成した映像Ａおよび映像Ｂを、記憶部１２に記憶させる（ステップＳ１００）。
【００４２】
補正部１３はシフトデバイス１６２の状態に応じて補正された映像データを出力する。具体的には、シフトデバイス１６２がオン状態の場合（ステップＳ１１０：ＹＥＳ）、補正部１３は、現ＳＦの映像データを用いて補正を行う（式（４）および（６）、ステップＳ１２０）。シフトデバイス１６２がオフ状態の場合（ステップＳ１１０：ＮＯ）、補正部１３は、現ＳＦの映像データを用いて補正を行う（式（３）および（５）、ステップＳ１３０）。
【００４３】
図６は、補正部１３の動作に係るタイミングチャートを示す。ここでは、垂直同期信号ＶＳ、切替信号Ｓｗ、映像データＲp、映像データＲq、およびＭＵＸ１３１４の出力信号（図でＭＵＸと表す）を示している。切替信号Ｓｗは、第１ＳＦにおいてハイレベルとなり、第２ＳＦにおいてローレベルとなっている。ＭＵＸ１３１４の出力信号は、第１ＳＦにおいては映像データＲpを示しており、第２ＳＦにおいては映像データＲqを示している。
【００４４】
再び図５を参照する。ＬＶ駆動部１４は、補正された映像データに従って、ライトバルブ１６１を駆動する。ステップＳ１００〜Ｓ１４０の処理は、所定の周期で繰り返し実行される。
【００４５】
以上で説明したように本実施形態によれば、映像データに対し、シフトデバイス１６２の波長分散を考慮して色ずれ補正が行われる。したがって、光学系の改変によらずに色ずれを補正することができる。
【００４６】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００４７】
４−１．変形例１
映像データにより示される階調値が低階調（低光量に相当）である場合、オン状態時の画素Ｑへの光の漏れ（Ｑon）を補償するためには、オフ状態時の画素Ｑへの光量（Ｑoff）を負にしなければならない場合が発生する。しかし、光量を負にすることは困難であるので、この場合、補正部１３は、式（３）および式（５）に従った補正を行わなくてもよい。さらにこの場合において、補正部１３は、オフ状態（第２ＳＦ）時の光量（Ｑoff）がゼロになるように映像データを補正してもよい。
【００４８】
４−２．変形例２
図３ではプロジェクター１が３原色に対応した３つのライトバルブ１６１および３つのシフトデバイス１６２を有する例を説明した。しかし、プロジェクター１は、単一のライトバルブ１６１および単一のシフトデバイス１６２のみを有していてもよい。この場合、Ｒ、Ｇ、およびＢの各成分の映像は、時分割で表示される。すなわち、１フレームは、Ｒ成分の映像を表示するフィールド（Ｒフィールド）、Ｇ成分の映像を表示するフィールド（Ｇフィールド）、およびＢ成分の映像を表示するフィールド（Ｂフィールド）の３つのフィールドに分割される。各フィールドはさらに２つのサブフィールド（第１ＳＦおよび第２ＳＦ）に分割され、一方のサブフィールドでシフトデバイス１６２がオン状態に、他方のサブフィールドでシフトデバイス１６２がオフ状態に切り替えられる。ＲフィールドおよびＢフィールドについては、第１ＳＦと第２ＳＦとで使用するＬＵＴが切り替えられる。
【００４９】
図７は、変形例２に係るタイミングチャートを示す図である。信号Ｆは、Ｒ、Ｇ、およびＢフィールドの始期を示す。映像データＩoutは、出力される映像データを示している。図７に示されるように、１フレームはＲ、Ｇ、およびＢフィールドに分割される。各フィールドはさらに第１ＳＦおよび第２ＳＦに分割される。Ｒフィールドの第１ＳＦにおいてはＬＵＴ１３１１が選択され、第２ＳＦにおいてはＬＵＴ１３１２が選択される。Ｂフィールドの第２ＳＦにおいてはＬＵＴ１３３１が選択され、第２ＳＦにおいてはＬＵＴ１３３２が選択される。
【００５０】
４−３．他の変形例
補正の具体的方法は実施形態で説明したものに限定されない。例えば、画素ＰおよびＱの補正方法は、式（１）および（２）で説明したものに限定されない。例えば、画素Ｐの補正において、Ｐonが考慮されてもよい。
【００５１】
補正部１３の構成は図４で例示したものに限定されない。補正の方法を切り替えられるものであれば、補正部１３はどのような構成を有していてもよい。また、実施形態においては各ＬＵＴがハードウェアＬＵＴである例を説明したが、補正部１３において用いられるＬＵＴのうち少なくとも一部は、ソフトウェアＬＵＴであってもよい。さらに、補正部１３においてＶＴ補正は省略されてもよく、ＶＴ補正以外の補正が追加されてもよい。
【００５２】
補正の対象となる色成分は実施形態で説明したものに限定されない。Ｒ、Ｇ、およびＢ成分のうち少なくとも１つの色成分について補正が行われればよい。また、映像データの色空間は、ＲＧＢ系に限定されない。映像データはこれ以外の色空間により表現されてもよい。
【００５３】
１フレームあたりのサブフィールド数は実施形態で説明したものに限定されない。例えば、１フレームは４サブフィールドに分割されてもよい。
【００５４】
ライトバルブ１６１は、透過型の液晶パネルに限定されない。反射型の液晶パネルが用
いられてもよい。また、ライトバルブ１６１は、有機ＥＬ（Electro-Luminescence）素子、ＤＭＤ（Digital Mirror Device）等、液晶以外の電気光学素子を用いたものであってもよい。
【００５５】
本発明が適用される表示装置はプロジェクターに限定されない。テレビジョン、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等に本発明が用いられてもよい。
【符号の説明】
【００５６】
１…プロジェクター、９…プロジェクター、１１…映像処理部、１２…記憶部、１３…補正部、１４…ＬＶ駆動部、１５…シフト制御部、１６…投射光学系、９３…補正部、１３１…ＬＵＴ群、１３２…ＬＵＴ群、１３３…ＬＵＴ群、１３４…切替信号生成部、１６１…ライトバルブ、１６２…シフトデバイス、９３３…ＬＵＴ９３１〜、１３１１…ＬＵＴ、１３１２…ＬＵＴ、１３１３…ＶＴＬＵＴ、１３１４…ＭＵＸ、１３２３…ＶＴＬＵＴ、１３３１…ＬＵＴ、１３３２…ＬＵＴ、１３３３…ＶＴＬＵＴ、１３３４…ＭＵＸ
【図１】
2015158556.tif 000003
【図２】
2015158556.tif 000004
【図３】
2015158556.tif 000005
【図４】
2015158556.tif 000006
【図５】
2015158556.tif 000007
【図６】
2015158556.tif 000008
【図７】
2015158556.tif 000009